(57)【要約】【課題】  本人が自分で手軽に利用できる手指運動機能改善補助具を提供する。【解決手段】  手指運動機能改善補助具１は、弾力性・伸縮性のある材料で構成された略筒状体が４個連接され、全体として一体化している。各筒状体２ａ,２ｂ，２ｃ，２ｄの空洞部の太さは、指２本が出し入れ可能な程度であり、その長さは、指を奥まで入れて指先が少し出る程度である。使う時は、動きの鈍いほうの手の指を各筒状体に入れ、次に健常な方の手の指を指同士が背中合わせになるように、かつ、爪同士が背中合わせになるように入れる。健常な方の手を握る方向に少しずつ動かすことで手指を運動させることができる。【選択図】図１
0003210062.tif 000002
【実用新案登録請求の範囲】
【請求項１】
弾力性・伸縮性のある素材で構成された筒状体が２個乃至４個連接され、各筒状体は、指２本を出し入れ可能な太さであり、かつ、指の第２ないし第３関節が納まる長さで構成されていることを特徴とする手指運動機能改善補助具
【請求項２】
前記筒状体は、幅広のゴム素材で構成されていることを特徴とする請求項１記載の手指運動機能改善補助具
【請求項３】
前記筒状体は、一方の端部の片側または両側に、指を曲げたときに指が入りやすいような凹部が形成されていることを特徴とする請求項１または２記載の手指運動機能改善補助具
【考案の詳細な説明】
【技術分野】
【０００１】
本考案は、手指の運動機能を改善・リハビリテーションするための補助具に関するものである。
【背景技術】
【０００２】
脳卒中など脳の血管障害に伴って手指が思うように動かせない状態になってしまうことが知られている。放置しておくと、拘縮して動かせなくなる。完全に拘縮してしまう前に、手指の運動機能を改善するために、旧来からクルミやボールなどを握って手指を動かすと良いことが知られており、ビーズなどが内部に入っていて握れる器具も販売されている。また、近年は、手の各指にケーブル等を取り付け、電気的または機械的に関節伸展運動を支援する装置が提案されている（例えば特許文献１，特許文献２）。
【０００３】
しかし、単に握るだけの器具では、さらに握りしめることにより拘縮が進んでしまうため、手を開かせることは困難であり、手指の運動機能の改善は見込めない。また、特許文献１や特許文献２に記載されたような装置では、装置が大がかりとなり、気軽に利用しにくい上、本人が自分の意志で動かすことが難しい。
【先行技術文献】
【特許文献】
【０００４】
【特許文献１】特開２０１２−２４９６７４
【特許文献２】特許４７１６４５６
【考案の概要】
【考案が解決しようとする課題】
【０００５】
そこで、本考案は、開きにくくなっている手指を、本人の意思で動かせやすくし、手指の運動機能を改善しやすくすること、本人が自分で手軽に利用できる手指運動機能改善補助具を提供することを課題とする。
【課題を解決するための手段】
【０００６】
上記の課題を解決するため、本考案の一態様による手指運動機能改善補助具は、弾力性・伸縮性のある素材で構成された筒状体が２個乃至４個連接され、各筒状体は、指２本を出し入れ可能な太さであり、かつ、指の第２ないし第３関節が納まる長さで構成されていることを特徴とする。
【０００７】
使う際には、各筒状体に、右手の人差し指と左手の人差し指、右手の中指と左手の中指、右手の薬指と左手の薬指、右手の小指と左手の小指というふうに、左右の対応する指２本を、指が背中合わせになるように、かつ、爪が対面するように、挿入する。そうすると、右手を握る方向に動かした時には、右手に連動して（追従して）筒状体に引っ張られる形で左手の指が伸張して左手が開くこととなり、左手を握る方向に動かした時には逆に右手の指が伸張して右手が開くことになる。
【０００８】
すなわち、硬直して動きにくくなったほうの手指を１本ずつ筒状体に入れて、健康で動く手指をそれぞれ対応するように各筒状体に入れて、少しずつ、硬直したほうの手指を起こすように動かしていく。そうして、両手が触れ合って、神経を反応させ、手指を運動させることができる。
【０００９】
筒状体は４つ連接している必要はなく、２つ、３つであっても良い。それでもその筒状体に入れた指を運動させることができる。筒状体が４つ連接して構成されている場合には、親指以外の４本の指を、それぞれの筒状体に左右併せて２本ずつ入れることができるので、親指以外の４本の指を運動させることができる。また、親指を運動させたい場合には、端の１つの筒状体に左右両方の親指を入れて、他の筒状体は余らせる形で運動させればよい。
【００１０】
筒状体の長さは、指の第１関節が出るくらい、または、指先が少し出るくらいの長さ、すなわち、指の第２ないし第３関節が納まる程度の長さである。短すぎると関節を進展させる運動がしにくく、指先が見えないほど長すぎると使いにくい。
【００１１】
前記筒状体は、例えば、幅広のゴム素材や、ウレタンの入った布地などで構成することができる。この場合において、柔らかすぎると筒状体が伸びすぎてしまって、硬直している方の指が追従していかず開かない（関節が伸展しない）恐れがあるので、少し硬めで腰のある素材のほうが好ましい。
【００１２】
さらに、前記筒状体は、一方の端部の片側または両側に、指を曲げやすいような凹部が形成されていることが好ましい。そうすることで、筒状体の端部が手のひらに当たることを避けることができ、握りやすくなる。
【考案の効果】
【００１３】
本考案により、本人が自分で手軽に利用できる手指運動機能改善補助具を提供することができる。これにより、開きにくくなっている手指を、本人の意思で動かせやすくし、手指の運動機能を改善しやすくすることができる。
【図面の簡単な説明】
【００１４】
【図１】本考案の一実施形態である手指運動機能改善補助具１を斜め上から見た模式的な斜視図である。
【図２】本考案の一実施形態である手指運動機能改善補助具１を上側から見た模式的な上面図である。
【図３】本考案の他の実施形態である手指運動機能改善補助具１０を斜め上から見た模式的な斜視図である。
【図４】本考案の他の実施形態である手指運動機能改善補助具１０を正面から見た模式的な正面図である。
【図５】本考案の手指運動機能改善補助具の使い方を説明するための図である。
【図６】本考案の手指運動機能改善補助具の使い方を説明するための図である。
【図７】本考案の手指運動機能改善補助具の使い方を説明するための図である。
【図８】本考案の手指運動機能改善補助具を使っている様子を示す参考図である。
【図９】本考案の手指運動機能改善補助具を使っている様子を示す参考図である。
【考案を実施するための形態】
【００１５】
本考案を実施するための形態について、図１乃至図２を参酌しながら説明する。図１は、本考案の一実施形態である手指運動機能改善補助具１を斜め上方から見た模式的な斜視図である。図２は、手指運動機能改善補助具１を上側から見た模式的な上面図である。図２において、点線は指を表している。これは、指２本分が出し入れできる太さであることを示すものであり、点線は本考案の構成の一部ではない。
【００１６】
図１乃至図２に示すように、本考案の一実施形態である手指運動機能改善補助具１は、筒状体が４個（２ａ,２ｂ，２ｃ，２ｄ）連接され、全体として一体化している。各筒状体２ａ,２ｂ，２ｃ，２ｄの空洞部の太さは、それぞれ、人差し指２本、中指２本、薬指２本、小指２本が、出し入れ可能な程度であり、その長さは、指を奥まで入れて指先が少し出る程度（第１関節が出る程度）である。すなわち、指の第２関節と第３関節が納まる程度の長さである。指の太さ及び長さは、人それぞれなので、多少のゆとりがあるように少し太めに構成されている。
【００１７】
手指運動機能改善補助具１の材料としては、弾力性・伸縮性のある素材、例えば、スパンデックスを少し入れた布地や幅広のゴム等を用いることができるが、特に限定されない。少し硬めで腰のある素材のほうが、健常な方の手指を動かした際に、動きの鈍い手指が追従して開いていきやすいから好ましい。伸びやすいと、健常な方の手指を動かした際に、生地のほうが伸びてしまい、動きにくいほうの手指が追従していかないからである。硬すぎても指を痛めてしまう恐れがある。
【００１８】
本実施形態では、素材としては幅数センチメートルで長さ数十センチメートルの少し硬めのゴムを用い、４つの筒状体が連接されるように、区切り部３か所と両端部を縫製することにより、手指運動機能改善補助具１を作製した。
【００１９】
すなわち、手指運動機能改善補助具１は、弾力性・伸縮性のある素材で構成された筒状体が４個連接され、各筒状体は、指２本を出し入れ可能な太さであり、かつ、指の第２ないし第３関節が納まる長さで構成されていることを特徴としている。これにより、親指以外の４本の指をそれぞれの筒状体に入れて一度に運動させることができる。筒状体の数は、４個に限らず、２個または３個であってもよい。それでも、それぞれの筒状体に入れた指を運動させることができる。
【００２０】
なお、本考案の手指運動機能改善補助具には、撥水性が付与されていると好ましい。力を入れて握ったときに汗が付着するのを防ぐことができ、衛生的である。
【００２１】
次に、本考案の他の実施形態である手指運動機能改善補助具１０について、図３及び図４を参照しながら、第１の実施形態と異なる点を説明する。図３は、本考案の他の実施形態である手指運動機能改善補助具１０を斜め上方から見た模式的な斜視図である。図４は、手指運動機能改善補助具１０を正面から見た模式的な正面図である。背面図は正面図と同様である。
【００２２】
図３及び図４に示すように、この実施形態の手指運動機能改善補助具１０は、各筒状体の一方の端部の両側に、さらに、指の付け根を入れやすいような凹部３０ａ，３０ｂ，３０ｃ，３０ｄが形成されている。そうすることで、筒状体２０ａ，２０ｂ，２０ｃ，２０ｄの端部が手のひらに当たって指が曲げにくくなるのを避けることができ、握りやすくなる。
【００２３】
また、この実施形態の手指運動機能改善補助具１０は、凹部３０ａ，３０ｂ，３０ｃ，３０ｄの上部中央を少しつまんで縫い付けてある（３１ａ，３１ｂ，３１ｃ，３１ｄ）。こうすることで、指を入れる位置の中央が明確になるという利点がある。また、こうすることで、手指運動機能改善補助具１０全体を蛇腹状に折り畳むことが容易になり、コンパクトになるという利点がある。
【００２４】
また、この実施形態の手指運動機能改善補助具１０は、両端の筒状体の端部に凸部４０ａ，４０ｂが設けられている。この凸部４０ａ，４０ｂは、手指運動機能改善補助具１０を両手で持って支える際に持ち手として使うことができる。
【００２５】
次に、本考案の手指運動機能改善補助具の使い方について図５から図９を参照して説明する。
【００２６】
手指運動機能改善補助具を着用する際は、図５に示すように、動きの鈍いほうの手の指を、手指運動機能改善補助具のそれぞれの筒状体（空洞部）に１本ずつ入れる。このとき、指を挿入しにくい場合には、動きの良いほうの手あるいは、介助者の手で支援しながら指を筒状体に１本ずつ入れる。
【００２７】
次に、図６及び図７に示すように、各筒状体に、もう一方の手の指（健常な方の手の指）を、人差し指のところには人差し指、中指のところには中指という具合にして、対応させて、１本ずつ、指が背中合わせになるように、かつ、爪が背中合わせになるように入れる。
【００２８】
指を各筒状体に入れ終ったら、図８に示すように、動きの鈍いほうの手を起こすように、健常な方の手を、少しずつ握っていく。そうすることで、少しずつ、手指を運動させることができる。また、図９に示すように、机などの台の上にクッションを置き、そのクッション上に肘を載せて、手指を運動させても良い。そうすることで肘の負担を和らげることができる。
【００２９】
なお、上記構成は、一例であり、本考案は上記構成に限られるものではない。本考案の趣旨を逸脱しない範囲で、自由に構成することができる。
【００３０】
例えば、上記の例では、幅広のゴムを縫製して作成したが、他の材料や他の方法により、作製してもよい。また、図では、上から見たときに楕円になるように描いたが、指２本が出し入れ可能であれば良いので、形は楕円に限るものではない。
【００３１】
なお、寸法は、利用する者の指の太さ・長さなどによって適宜調節されるものであるから、上記では寸法の記載を省略した。
【符号の説明】
【００３２】
１…本考案の一実施形態に係る手指運動機能改善補助具
２ａ,２ｂ，２ｃ，２ｄ…指を入れるための筒状体
１０…本考案の別の一実施形態に係る手指運動機能改善補助具
２０ａ,２０ｂ，２０ｃ，２０ｄ…指を入れるための筒状体
３０ａ,３０ｂ，３０ｃ，３０ｄ…凹部
４０ａ,４０ｂ，４０ｃ，４０ｄ…凸部（持ち手）
【図１】
0003210062.tif 000003
【図２】
0003210062.tif 000004
【図３】
0003210062.tif 000005
【図４】
0003210062.tif 000006
【図５】
0003210062.tif 000007
【図６】
0003210062.tif 000008
【図７】
0003210062.tif 000009
【図８】
0003210062.tif 000010
【図９】
0003210062.tif 000011